(57)【要約】【課題】システムに新規に参加する画像処理装置に対して適切な配信値を配信することができる画像処理システムを提供する。【解決手段】画像処理システムは、画像処理装置１０１と複数の他の画像処理装置２０２，２０３，２０４，２１０とが互いに通信可能に接続される。画像処理装置１０１は、既に接続されている複数の他の画像処理装置２０２，２０３，２０４からデバイス情報を取得する手段と、新規に接続された他の画像処理装置２１０からデバイス情報を取得する手段と、取得したデバイス情報に基づいて、既に接続されている複数の他の画像処理装置２０２，２０３，２０４のうち、新規に接続された他の画像処理装置２１０に配信する共通配信値の配信元となる他の画像処理装置を決定する手段と、を備える。【選択図】図１
2010161578.tif 000002
【特許請求の範囲】
【請求項１】
画像処理装置と複数の他の画像処理装置とが互いに通信可能に接続される画像処理システムであって、
前記画像処理装置は、既に接続されている複数の前記他の画像処理装置からデバイス情報を取得する第１の取得手段と、
新規に接続された前記他の画像処理装置からデバイス情報を取得する第２の取得手段と、
前記第１の取得手段及び前記第２の取得手段により取得したデバイス情報に基づいて、既に接続されている複数の前記他の画像処理装置のうち、新規に接続された前記他の画像処理装置に配信する共通配信値の配信元となる前記他の画像処理装置を決定する制御手段と、を備えることを特徴とする画像処理システム。
【請求項２】
複数の他の画像処理装置が通信可能に接続される画像処理装置であって、
既に接続されている複数の前記他の画像処理装置からデバイス情報を取得する第１の取得手段と、
新規に接続された前記他の画像処理装置からデバイス情報を取得する第２の取得手段と、
前記第１の取得手段及び前記第２の取得手段により取得したデバイス情報に基づいて、既に接続されている複数の前記他の画像処理装置のうち、新規に接続された前記他の画像処理装置に配信する共通配信値の配信元となる前記他の画像処理装置を決定する制御手段と、を備えることを特徴とする画像処理装置。
【請求項３】
前記制御手段は、前記配信元の他の画像処理装置から前記共通配信値を取得して、取得した該共通配信値を前記新規に接続された他の画像処理装置に配信することを特徴とする請求項２に記載の画像処理装置。
【請求項４】
制御手段は、前記配信元の他の画像処理装置に対して、前記新規に接続された他の画像処理装置に前記共通配信値を配信するように指示することを特徴とする請求項２に記載の画像処理装置。
【請求項５】
前記既に接続されている複数の前記他の画像処理装置から固有配信値を取得する第３の取得手段を備え、
前記制御手段は、前記第３の取得手段により取得した前記固有配信値に基づいて、前記新規に接続された他の画像処理装置に配信する固有配信値を決定することを特徴とする請求項２〜４のいずれか一項に記載の画像処理装置。
【請求項６】
前記制御手段は、前記新規に接続された他の画像処理装置に配信する固有配信値をユニークな値として決定し、決定した固有配信値を前記新規に接続された他の画像処理装置に配信することを特徴とする請求項５に記載の画像処理装置。
【請求項７】
前記制御手段は、前記共通配信値の配信元となる前記他の画像処理装置を決定する際に、複数の前記他の画像処理装置を前記配信元として決定することを特徴とする請求項２〜６のいずれか一項に記載の画像処理装置。
【請求項８】
前記制御手段は、自装置の固有配信値と前記共通配信値とを組み合わせて前記新規に接続された他の画像処理装置に配信することを特徴とする請求項７に記載の画像処理装置。
【請求項９】
複数の他の画像処理装置が通信可能に接続される画像処理装置の制御方法であって、
既に接続されている複数の前記他の画像処理装置からデバイス情報を取得する第１の取得ステップと、
新規に接続された前記他の画像処理装置からデバイス情報を取得する第２の取得ステップと、
前記第１の取得ステップ及び前記第２の取得ステップで取得したデバイス情報に基づいて、既に接続されている複数の前記他の画像処理装置のうち、新規に接続された前記他の画像処理装置に配信する共通配信値の配信元となる前記他の画像処理装置を決定する制御ステップと、を備えることを特徴とする画像処理装置の制御方法。
【請求項１０】
複数の他の画像処理装置が通信可能に接続される画像処理装置の制御プログラムであって、
既に接続されている複数の前記他の画像処理装置からデバイス情報を取得する第１の取得ステップと、
新規に接続された前記他の画像処理装置からデバイス情報を取得する第２の取得ステップと、
前記第１の取得ステップ及び前記第２の取得ステップで取得したデバイス情報に基づいて、既に接続されている複数の前記他の画像処理装置のうち、新規に接続された前記他の画像処理装置に配信する共通配信値の配信元となる前記他の画像処理装置を決定する制御ステップと、をコンピュータに実行させることを特徴とする画像処理装置の制御プログラム。
【発明の詳細な説明】
【技術分野】
【０００１】
本発明は、例えば、デジタル複合機等の複数の画像処理装置がネットワークに接続された画像処理システム、画像処理システムを構成する画像処理装置、画像処理装置の制御方法、及び制御プログラムに関する。
【背景技術】
【０００２】
従来、複数の機器間において、一方の機器から他方の機器に対し、配信値（例えば機器が持つ設定値、アプリケーション、ユーザごとの設定値等）を配信する技術が提案されている（特許文献１）。
【先行技術文献】
【特許文献】
【０００３】
【特許文献１】特開平１１−１７５２７２号公報
【発明の概要】
【発明が解決しようとする課題】
【０００４】
しかし、上記特許文献１では、新規にシステムに参加した機器に対し、どの機器を配信値の配信元にするかについては言及されていない。従って、クライアントとなる機器が新規にシステムに参加した際、該機器に対してサーバから配信値を配信しても、適切な配信値が配信されるとは限らない。また、新規にシステムに参加する機器に対して、既にシステムに参加済みの他のクライアントの機器を配信値の配信元とした場合、該配信元の機器の固有の設定値まで配信されることになる。
【０００５】
そこで、本発明は、システムに新規に参加する画像処理装置に対して適切な配信値を配信することができる画像処理システム、画像処理装置、画像処理装置の制御方法、及び制御プログラムを提供することを目的とする。
【課題を解決するための手段】
【０００６】
上記目的を達成するために、本発明の画像処理システムは、画像処理装置と複数の他の画像処理装置とが互いに通信可能に接続される画像処理システムであって、前記画像処理装置は、既に接続されている複数の前記他の画像処理装置からデバイス情報を取得する第１の取得手段と、新規に接続された前記他の画像処理装置からデバイス情報を取得する第２の取得手段と、前記第１の取得手段及び前記第２の取得手段により取得したデバイス情報に基づいて、既に接続されている複数の前記他の画像処理装置のうち、新規に接続された前記他の画像処理装置に配信する共通配信値の配信元となる前記他の画像処理装置を決定する制御手段と、を備えることを特徴とする。
【０００７】
本発明の画像処理装置は、複数の他の画像処理装置が通信可能に接続される画像処理装置であって、既に接続されている複数の前記他の画像処理装置からデバイス情報を取得する第１の取得手段と、新規に接続された前記他の画像処理装置からデバイス情報を取得する第２の取得手段と、前記第１の取得手段及び前記第２の取得手段により取得したデバイス情報に基づいて、既に接続されている複数の前記他の画像処理装置のうち、新規に接続された前記他の画像処理装置に配信する共通配信値の配信元となる前記他の画像処理装置を決定する制御手段と、を備えることを特徴とする。
【０００８】
本発明の画像処理装置の制御方法は、複数の他の画像処理装置が通信可能に接続される画像処理装置の制御方法であって、既に接続されている複数の前記他の画像処理装置からデバイス情報を取得する第１の取得ステップと、新規に接続された前記他の画像処理装置からデバイス情報を取得する第２の取得ステップと、前記第１の取得ステップ及び前記第２の取得ステップで取得したデバイス情報に基づいて、既に接続されている複数の前記他の画像処理装置のうち、新規に接続された前記他の画像処理装置に配信する共通配信値の配信元となる前記他の画像処理装置を決定する制御ステップと、を備えることを特徴とする。
【０００９】
本発明の画像処理装置の制御プログラムは、複数の他の画像処理装置が通信可能に接続される画像処理装置の制御プログラムであって、既に接続されている複数の前記他の画像処理装置からデバイス情報を取得する第１の取得ステップと、新規に接続された前記他の画像処理装置からデバイス情報を取得する第２の取得ステップと、前記第１の取得ステップ及び前記第２の取得ステップで取得したデバイス情報に基づいて、既に接続されている複数の前記他の画像処理装置のうち、新規に接続された前記他の画像処理装置に配信する共通配信値の配信元となる前記他の画像処理装置を決定する制御ステップと、をコンピュータに実行させることを特徴とする。
【発明の効果】
【００１０】
本発明によれば、システムに新規に参加する画像処理装置に対して適切な配信値を配信することができる。
【図面の簡単な説明】
【００１１】
【図１】本発明の第１の実施形態である画像処理システムの構成例を説明するための図である。
【図２】画像処理装置のデバイス情報の一例を示す図である。
【図３】画像処理装置（ＭＦＰ）の基本的な装置構成について説明するためのブロック図である。
【図４】画像処理装置の操作部の表示画面の一例を示す図である。
【図５】ネットワーク設定を行う際に画像処理装置の操作部に表示される画面の一例を示す図である。
【図６】共通配信値及び固有配信値の一例を示す図である。
【図７】共通配信値及び固有配信値の一例を示す図である。
【図８】サーバとしての画像処理装置における配信値の配信処理について説明するためのフローチャート図である。
【図９】新規クライアントとしての画像処理装置の処理について説明するためのフローチャート図である。
【図１０】サーバとしての画像処理装置において、新規クライアントの画像処理装置への共通配信値の配信処理をクライアントの画像処理装置で行う場合の処理を説明するためのフローチャート図である。
【図１１】共通配信値の配信処理を行うクライアントの画像処理装置での処理を説明するためのフローチャート図である。
【図１２】本発明の第２の実施形態である画像処理システムの構成例を説明するための図である。
【図１３】画像処理装置（ＳＦＰ）の基本的な装置構成を説明するためのブロック図である。
【図１４】共通配信値及び固有配信値の一例を示す図である
【図１５】本発明の第３の実施形態である画像処理システムの構成例について説明するための図である。
【図１６】共通配信値及び固有配信値の一例を示す図である。
【図１７】サーバとしての画像処理装置における配信値の配信処理について説明するためのフローチャート図である。
【図１８】本発明の第４の実施形態である画像処理システムの構成例について説明するための図である。
【図１９】オプションとしてフィニッシャを持つ画像処理装置（ＭＦＰ）の基本的な装置構成について説明するためのブロック図である。
【図２０】共通配信値及び固有配信値の一例を示す図である。
【図２１】サーバとしての画像処理装置における配信値の配信処理について説明するためのフローチャート図である。
【図２２】本発明の第５の実施形態である画像処理システムの構成例について説明するための図である。
【図２３】共通配信値及び固有配信値の一例を示す図である。
【図２４】サーバとしての画像処理装置における配信値の配信処理について説明するためのフローチャート図である。図である。
【発明を実施するための形態】
【００１２】
以下、本発明の実施形態を図面を参照して説明する。
【００１３】
（第１の実施形態）
図１は、本発明の第１の実施形態である画像処理システムの構成例を説明するための図である。
【００１４】
図１に示すように、本実施形態の画像処理システムは、複数の画像処理装置１０１，２０２，２０３，２０４，２１０がＬＡＮ４００等を介して互いに通信可能に接続されている。
【００１５】
ここで、本実施形態では、画像処理装置１０１をサーバとし、画像処理装置２０２，２０３及び画像処理装置２０４をシステムに既に接続されているクライアントし、画像処理装置２１０をシステムに新規に接続される新規クライアントとする。
【００１６】
また、画像処理装置１０１，２０４，２１０は、ＭＦＰ（マルチファンクションプリンタデジタル）とされ、画像処理装置２０２，２０３は、ＳＦＰ（シングルファンクションプリンタ）とされている。
【００１７】
図２は、画像処理装置のデバイス情報の一例を示す図である。
【００１８】
図２において、デバイスタイプ（Ｄｅｖｉｃｅｔｙｐｅ）３０１は、画像処理装置がＭＦＰかＳＦＰかを示す情報である。
【００１９】
機能情報（Ｆｕｎｃｔｉｏｎ）３０２は、図２の例では、画像処理装置がコピー、Ｂｏｘ、送信、プリント、ネットワークスキャン、Ｆａｘ（サーバ）機能を保持することを示す。
【００２０】
オプション（Ｏｐｔｉｏｎ）３０３は、ハード的なオプションであり、図２の例では、画像処理装置がフィニッシャ、給紙デッキを保持することを示す。本実施形態では、このデバイス情報に従って、配信値の配信元の画像処理装置を決定する。
【００２１】
次に、図３を参照して、画像処理装置（ＭＦＰ）の基本的な装置構成について説明する。
【００２２】
図３に示すように、画像処理装置（ＭＦＰ）は、リーダ部５１、プリンタ部５５、制御装置６０、操作部７０、及びＨＤＤ６５を備える。
【００２３】
リーダ部５１は、原稿の画像を光学的に読み取り、画像データに変換する。リーダ部５１は、原稿の画像を読取るための機能を持つスキャナユニット５３と、原稿を搬送するための機能を持つ原稿給紙ユニット５２とで構成される。なお、機種によっては原稿給紙ユニット５２を持たないものもある。
【００２４】
プリンタ部５５は、記録紙を搬送するとともに、記録紙に画像を印字して装置外に排紙する。プリンタ部５５は、複数種の記録紙カセットを持つ給紙ユニット５８と、画像データを記録紙に転写、定着させるマーキングユニット５６と、印字された記録紙をソート、ステイプルして装置外へ出力する排紙ユニット５７とで構成される。
【００２５】
制御装置６０は、リーダ部５１、プリンタ部５５と電気的に接続され、さらにＬＡＮ４００と接続されている。制御装置６０は、リーダ部５１を制御して、原稿の画像を読み取り、プリンタ部５５を制御して、リーダ部５１で読み取った画像データを記録紙に出力するコピー機能を提供する。
【００２６】
また、制御装置６０は、リーダ部５１で読み取った画像データをコードデータに変換し、ＬＡＮ４００を介して不図示のホストコンピュータへ送信するネットワークスキャナ機能を提供する。さらに、制御装置６０は、ホストコンピュータからＬＡＮ４００を介して受信したコードデータを画像データに変換し、プリンタ部５５に出力するプリンタ機能を提供する。
【００２７】
操作部７０は、液晶表示部、該液晶表示部に張り付けられたタッチパネル入力装置、及び複数のハードキーを有し、ユーザが様々な操作を行うためのユーザＩ／Ｆを提供する。タッチパネルまたはハードキーにより入力された信号は制御装置６０に伝えられ、制御装置６０から送られてきた画像データを液晶表示部に表示する。
【００２８】
また、操作部７０は、リーダ部５１から読み込んだ原稿を文書としてＨＤＤ６５に保存するＢｏｘ機能（文書格納機能）も提供する。このＢｏｘ機能は、文書を格納する機能に加え、格納された文書を印刷する機能も備える。
【００２９】
次に、図４を参照して、画像処理装置（ＭＦＰ）の操作部７０の表示画面の一例について説明する。
【００３０】
図４において、トップメニューキー４０１は、不図示のトップメニューの画面表示（ログイン画面表示）に戻るために用意されたキーである。マイポータルキー４０２は、押下により、例えば特定のログインユーザに関連する情報（そのユーザが投入したジョブの情報など）のみが掲載された画面が表示される。
【００３１】
設定キー４０３は、環境情報、例えば機器が持つ設定値、ネットワーク設定、アプリケーション、ユーザごとの設定値を設定する画面を表示するためのキーである。キー４０４〜４０８は、各種機能キー、キー４１１〜４１４は、各種機能へのショートカットキーである。登録キー４１５は、パーソナライズ画面の編集を行うためのキーである。
【００３２】
キー４１７は、ログアウトを行うためのキーであり、ステータスライン４１８は、例えば実行中のジョブの情報を表示したり、消耗品（トナーなど）警告情報を表示したりするエリアである。システム状況キー４１９は、例えば実行中のジョブリストやジョブログリストの情報が閲覧できる画面を表示するためのキーである。
【００３３】
図５は、画像処理装置２１０でネットワーク設定を行う際に操作部７０に表示される画面の一例を示す図であり、この画面は、図４の設定キー４０３を操作することで呼び出される。
【００３４】
この画面には、ＩＰアドレス設定７０１、サブネットマスク設定７０２、ゲートウェイ設定４０３、及びサーバアドレス設定７０４が表示される。画像処理装置２１０の操作部７０において、ユーザはこの画面に従いサーバアドレスを設定してクライアント／サーバの関係を構築し、図１に示す画像処理システムに新規に参加することになる。そして、このサーバアドレス設定を行うと、自動的に配信値の配信が開始される。
【００３５】
図６及び図７は、共通配信値と固有配信値の一例を示す図である。
【００３６】
図６に示す共通配信値７１１及び固有配信値７１４は、図７に示す言語（例えばＸＭＬ（Extensible Markup Language））で画像処理装置のＨＤＤ等に格納されている。図６及び図７に示す配信値は、図５のサーバアドレス設定で配信が開始される配信値の一例である。共通配信値７１１のうち、配信値７１２は、特に装置の基本的な設定値であり、配信値７１３は、備える機能ごとに異なる設定値であるが、複数のデバイスで共有できる設定値である。固有配信値７１４は、複数のデバイスで共有することができない固有の設定値である。
【００３７】
共通配信値７１１は、新規クライアントである画像処理装置２１０が図１に示す画像処理システムに参加した際に、他のクライアントの画像処理装置から設定値をそのままコピーできる値となる。
【００３８】
新規クライアントとしての画像処理装置２１０がサーバとしての画像処理装置１０１に対して前述したサーバアドレス設定を行うと、画像処理装置１０１は、画像処理装置２１０からデバイス情報を取得する。
【００３９】
画像処理装置１０１は、図２のデバイス情報のデバイスタイプ３０１を参照し、画像処理装置２１０はＭＦＰであるから、他の画像処理装置２０２，２０３，２０４のうち、ＭＦＰである画像処理装置２０４を共通配信値７１１の配信元の装置として決定する。
【００４０】
なお、クライアントとしての画像処理装置で複数のＭＦＰが存在した場合、画像処理装置１０１は、残りのデバイス情報の機能情報３０２やオプション３０３を参照する。そして、画像処理装置１０１は、デバイス情報が画像処理装置２１０に最も近い画像処理装置を共通配信値７１１の配信元として決定する。
【００４１】
また、固有配信値については、画像処理装置１０１は、画像処理装置２１０に固有な値を決定して、該画像処理装置２１０に配信する（後述する）。
【００４２】
次に、図８を参照して、サーバとしての画像処理装置１０１における配信値の配信処理について説明する。図８での各処理は、画像処理装置１０１のＲＯＭやＨＤＤ６５等に記憶された制御プログラムがＲＡＭにロードされて、制御装置６０のＣＰＵ等により実行される。なお、ここでは、画像処理装置１０１が、画像処理装置２１０に対して、固有配信値及び共通配信値の両方を配信する場合を例に採る。
【００４３】
ステップＳ１０１では、制御装置６０は、クライアントとしての画像処理装置２０２，２０３，２０４から送信されたサーバアドレス設定を受信し、ステップＳ１０２に進む。
【００４４】
ステップＳ１０２では、制御装置６０は、画像処理装置２０２，２０３，２０４からデバイス情報を取得して、取得したデバイス情報をＨＤＤ６５に記憶し、ステップＳ１０３に進む。尚、ステップＳ１０２は、本実施例において第１の取得手段の一例となる処理である。
【００４５】
ステップＳ１０３では、制御装置６０は、新規クライアントとしての画像処理装置２１０から送信されたサーバアドレス設定を受信し、ステップＳ１０４に進む。
【００４６】
ステップＳ１０４では、制御装置６０は、画像処理装置２１０からデバイス情報を取得して、ＨＤＤ６５に記憶し、ステップＳ１０５に進む。尚、ステップＳ１０４は、本実施例において第２の取得手段の一例となる処理である。
【００４７】
ステップＳ１０５では、制御装置６０は、取得したデバイス情報のデバイスタイプ３０１（図２参照）を確認する。具体的には、制御装置６０は、画像処理装置２０２，２０３，２０４のそれぞれのデバイスタイプのうち、画像処理装置２１０のデバイスタイプと一致するデバイスタイプが１つか否かを判断する。
【００４８】
そして、制御装置６０は、画像処理装置２１０のデバイスタイプと一致するデバイスタイプが１つの場合は、ステップＳ１０６に進み、画像処理装置２１０のデバイスタイプと一致するデバイスタイプが１つでない場合（複数の場合）は、ステップＳ１０７に進む。
【００４９】
ステップＳ１０６では、制御装置６０は、画像処理装置２１０のデバイスタイプと一致するデバイスタイプを含むデバイス情報を有するクライアントの画像処理装置を配信値の配信元に決定し、ステップＳ１１２に進む。
【００５０】
ステップＳ１０７では、制御装置６０は、取得したデバイス情報の機能情報（Ｆｕｎｃｔｉｏｎ）３０２（図２参照）を確認する。具体的には、制御装置６０は、画像処理装置２０２，２０３，２０４のそれぞれの機能情報のうち、画像処理装置２１０の機能情報と一致する機能情報が１つか否かを判断する。
【００５１】
そして、制御装置６０は、画像処理装置２１０の機能情報と一致する機能情報が１つの場合は、ステップＳ１０８に進み、画像処理装置２１０の機能情報と一致する機能情報が１つでない場合（複数の場合）は、ステップＳ１０９に進む。
【００５２】
ステップＳ１０８では、制御装置６０は、画像処理装置２１０の機能情報と一致する機能情報を含むデバイス情報を有するクライアントの画像処理装置を配信値の配信元に決定し、ステップＳ１１２に進む。
【００５３】
ステップＳ１０９では、制御装置６０は、取得したデバイス情報のオプション３０２（図２参照）を確認する。具体的には、制御装置６０は、画像処理装置２０２，２０３，２０４のそれぞれのオプションのうち、画像処理装置２１０のオプションと一致するオプションが１つか否かを判断する。
【００５４】
そして、制御装置６０は、画像処理装置２１０のオプションと一致するオプションが１つの場合は、ステップＳ１１０に進み、画像処理装置２１０のオプションと一致するオプションが１つでない場合（複数の場合）は、ステップＳ１１１に進む。
【００５５】
ステップＳ１１０では、制御装置６０は、画像処理装置２１０のオプションと一致するオプションを含むデバイス情報を有するクライアントの画像処理装置を配信値の配信元に決定し、ステップＳ１１２に進む。
【００５６】
ステップＳ１１１では、制御装置６０は、取得したデバイス情報に基づいて、クライアントの画像処理装置２０２，２０３，２０４のうちの任意の画像処理装置を配信値の配信元に決定する。例えば、ここでは、制御装置６０は、画像処理装置２１０のデバイスタイプに唯一一致するデバイスタイプの画像処理装置２０４を配信値の配信元として決定し、ステップＳ１１２に進む。
【００５７】
ステップＳ１１２では、制御装置６０は、画像処理装置２１０に配信する共通配信値７１１（図６及び図７参照）の配信元を確定し、ステップＳ１１３に進む。
【００５８】
ステップＳ１１３では、制御装置６０は、クライアントの画像処理装置２０２，２０３，２０４からそれぞれの固有配信値７１４（図６及び図７参照）を取得し、ステップＳ１１４に進む。尚、ステップＳ１１３は、本実施例において第３の取得手段の一例となる処理である。
【００５９】
ステップＳ１１４では、制御装置６０は、ステップＳ１１３で取得した固有配信値の情報を基に、画像処理装置２１０に配信する固有配信値をユニークな値にできるか否かを判断する。
【００６０】
例えば、固有配信値７１４として、画像処理装置２０２から回線番号２、ユーザ略称３３−ＯＡ２を取得し、画像処理装置２０３から回線番号３、ユーザ略称３３−ＯＡ３を取得し、画像処理装置２０４から回線番号４、ユーザ略称３３−ＯＡ４を取得したとする。また、画像処理装置１０１では、回線番号１、ユーザ略称３３−ＯＡ１を使用している状態とする。
【００６１】
このとき、回線番号の上限値が、例えば最大８とすると、制御装置６０は、固有配信値をユニークな値にできると判断して、ステップＳ１１５に進む。
【００６２】
ステップＳ１１５では、制御装置６０は、画像処理装置２１０に対し、回線番号５、ユーザ略称３３−ＯＡ５を自動的に発番して割り当て、ステップＳ１１７に進む。
【００６３】
一方、回線番号の上限値が、例えば最大４とすると、制御装置６０は、固有配信値をユニークな値にできないと判断して、ステップＳ１１６に進む。
【００６４】
ステップＳ１１６では、制御装置６０は、画像処理装置２１０に対し、重複した回線番号１、ユーザ略称３３−ＯＡ１を割り当て、ステップＳ１１７に進む。
【００６５】
ステップＳ１１７では、制御装置６０は、画像処理装置２１０に配信する固有配信値を確定し、ステップＳ１１８に進む。
【００６６】
ステップＳ１１８では、制御装置６０は、ステップＳ１１２で確定した配信元のクライアントの画像処理装置から共通配信値を取得し、ステップＳ１１９に進む。
【００６７】
ステップＳ１１９では、制御装置６０は、画像処理装置２１０に対して、ステップＳ１１８で取得した共通配信値、及びステップＳ１１７で確定した固有配信値を配信し、処理を終了する。
【００６８】
次に、図９を参照して、新規クライアントとしての画像処理装置２１０の処理について説明する。図９での各処理は、画像処理装置２１０のＲＯＭやＨＤＤ６５等に記憶された制御プログラムがＲＡＭにロードされて、制御装置６０のＣＰＵ等により実行される。なお、説明の便宜上、以下の説明では、画像処理装置２１０の制御装置６０を制御装置６０Ａとする。
【００６９】
図９において、ステップＳ３０１では、制御装置６０Ａは、操作部７０のネットワーク設定画面（図５参照）でのユーザの指示に基づいて、ＩＰアドレスなどのネットワーク設定を行い、ステップＳ３０２に進む。
【００７０】
ステップＳ３０２では、制御装置６０Ａは、操作部７０のネットワーク設定画面（図５参照）でのユーザの指示に基づいて、サーバアドレスの設定を行い、ステップＳ３０３に進む。
【００７１】
ステップＳ３０３では、制御装置６０Ａは、接続要求を出した画像処理装置１０１からのデバイス情報取得要求に応答して、デバイス情報を画像処理装置１０１に送信し、ステップＳ３０４に進む。
【００７２】
ステップＳ３０４では、制御装置６０Ａは、配信値を受信したか否かを監視し、配信値を受信した場合は、ステップＳ３０６５に進む。
【００７３】
ステップＳ３０５では、制御装置６０Ａは、受信した配信値を設定値としてＨＤＤ６５等に登録し、処理を終了する。
【００７４】
以上説明したように、本実施形態では、システムに新規に参加する画像処理装置２１０に対して適切な配信値を配信することができ、また、画像処理装置２１０がサーバの設定をした段階で配信値が自動で配信されるため、ユーザの利便性が向上する。
【００７５】
なお、本実施形態では、新規クライアントの画像処理装置２１０への共通配信値の配信処理をサーバである画像処理装置１０１で行う場合を例示したが、該配信処理をクライアントの画像処理装置（本実施形態では、画像処理装置２０４）で行うようにしてもよい。
【００７６】
図１０は、サーバである画像処理装置１０１において、新規クライアントの画像処理装置２１０への共通配信値の配信処理をクライアントの画像処理装置で行う場合の処理を説明するためのフローチャート図である。
【００７７】
図１０において、ステップＳ２０１〜ステップＳ２１７は、図８のステップＳ１０１〜ステップＳ１１７と同様である。
【００７８】
ステップＳ２１８では、画像処理装置１０１の制御装置６０は、ステップＳ２１２で決定した配信元のクライアントの画像処理装置に対し、画像処理装置２１０に共通配信値を配信するように指示し、ステップＳ２１９に進む。
【００７９】
ステップＳ２１９では、制御装置６０は、画像処理装置２１０に対して、ステップＳ２１７で確定した固有配信値を配信し、処理を終了する。
【００８０】
図１１は、共通配信値の配信処理を行うクライアントの画像処理装置２０４での処理を説明するためのフローチャート図である。図１１での各処理は、画像処理装置２０４のＲＯＭやＨＤＤ（不図示）等に記憶された制御プログラムがＲＡＭ（不図示）にロードされて、制御装置（不図示）のＣＰＵ等により実行される。
【００８１】
ステップＳ４０１では、制御装置は、サーバである画像処理装置１０１から送信された共通配信値の配信指示を受信したか否かを判断し、受信した場合は、ステップＳ４０２に進む。
【００８２】
ステップＳ４０２では、制御装置は、新規クライアントの画像処理装置２１０に対し、共通配信値を配信し、処理を終了する。
【００８３】
（第２の実施形態）
次に、図１２〜図１４を参照して、本発明の第２の実施形態である画像処理システムについて説明する。
【００８４】
図１２は、本発明の第２の実施形態である画像処理システムの構成例を説明するための図である。
【００８５】
本実施形態では、図１２に示すように、新規クライアントの画像処理装置２１０及びクライアントの画像処理装置２０３がＳＦＰとされ、サーバの画像処理装置１０１及びクライアントの画像処理装置２０２，２０４がＭＦＰとされている。
【００８６】
図１３は、画像処理装置（ＳＦＰ）２１０の基本的な装置構成を説明するためのブロック図である。
【００８７】
図１３に示すように、画像処理装置２１０は、プリンタ部５５、制御装置６０及び操作部７０を備える。本実施形態では、画像処理装置２１０は、上記第１の実施形態のように、制御装置６０にリーダ部及びＨＤＤは接続されていないため、コピー機能、Ｓｅｎｄ機能、及びＢｏｘ機能を備えていない。
【００８８】
図１４は、共通配信値及び固有配信値の一例を示す図である。図１４において、共通配信値７１１の配信値７１２は上記第１の実施形態（図６）と同様だが、配信値７１３が相違する。配信値７１３は、ＳＦＰに必要な設定値のみとなっている（例えばＦａｘ送信に関する設定は省かれている）。固有配信値７１４は、上記第１の実施形態（図６）と同様である。
【００８９】
本実施形態では、新規クライアントとしての画像処理装置２１０がＳＦＰであるため、サーバである画像処理装置１０１は、クライアントの画像処理装置２０２，２０３，２０４のうち、ＳＦＰである画像処理装置２０３を配信値の配信元に決定する。
【００９０】
なお、クライアントとしての画像処理装置で複数のＳＦＰが存在した場合、画像処理装置１０１は、残りのデバイス情報の機能情報３０２やオプション３０３（図２参照）を参照する。そして、画像処理装置１０１は、デバイス情報が画像処理装置２１０に最も近い画像処理装置を配信値の配信元として決定する。その他の構成及び作用効果は、上記第１の実施形態と同様である。
【００９１】
（第３の実施形態）
次に、図１５〜図１７を参照して、本発明の第３の実施形態である画像処理システムについて説明する。
【００９２】
図１５は、本発明の第３の実施形態である画像処理システムの構成例について説明するための図である。
【００９３】
図１５に示すように、本実施形態では、サーバとしての画像処理装置１０１、新規クライアントの画像処理装置２１０、及びクライアントの画像処理装置２０２は、Ｂｏｘ機能を持つＭＦＰとされている。また、クライアントの画像処理装置２０４は、Ｂｏｘ機能を持たないＭＦＰとされ、クライアントの画像処理装置２０３は、Ｂｏｘ機能を持たないＳＦＰとされている。
【００９４】
図１６は、共通配信値及び固有配信値の一例を示す図である。図１６においては、共通配信値７１１の配信値７１２は、上記第１の実施形態（図６）と同様であるが、配信値７１３は、Ｆａｘ機能は持たないためＦａｘ送信に関する設定は省かれ、Ｂｏｘ機能に必要な設定値のみとなっている。また、固有配信値７１４についても、上記第１の実施形態（図６）のように、回線番号やユーザ略称は設定値として存在しない。
【００９５】
更に、本実施形態では、備える機能を基に配信元のデバイスを決定するため、画像処理装置１０１は、まず、デバイス情報の機能情報（Ｆｕｎｃｔｉｏｎ）３０２を参照して複数のクライアントの画像処理装置から配信値の配信元の画像処理装置を決定する。
【００９６】
なお、クライアントとしての画像処理装置でＢｏｘ機能を持つ複数の画像処理装置が存在した場合は、画像処理装置１０１は、残りのデバイス情報であるデバイスタイプ３０１やオプション３０３（図２参照）を参照する。そして、画像処理装置１０１は、デバイス情報が画像処理装置２１０に最も近い画像処理装置を配信値の配信元として決定する。
【００９７】
図１７は、サーバとしての画像処理装置１０１における配信値の配信処理について説明するためのフローチャート図である。図１７での各処理は、画像処理装置１０１のＲＯＭやＨＤＤ６５等に記憶された制御プログラムがＲＡＭにロードされて、制御装置６０のＣＰＵ等により実行される。
【００９８】
図１７において、ステップＳ４０１〜ステップＳ４０４、及びステップＳ４１１〜ステップＳ４１９は、それぞれ上記第１の実施形態（図８）のステップＳ１０１〜ステップＳ１０４、及びステップＳ１１１〜ステップＳ１１９と同様であるので、説明を省略する。
【００９９】
ステップＳ４０５では、制御装置６０は、取得したデバイス情報の機能情報（Ｆｕｎｃｔｉｏｎ）３０２（図２参照）を確認する。具体的には、制御装置６０は、画像処理装置２０２，２０３，２０４のそれぞれの機能情報のうち、画像処理装置２１０の機能情報と一致する機能情報が１つか否かを判断する。
【０１００】
そして、制御装置６０は、画像処理装置２１０の機能情報と一致する機能情報が１つの場合は、ステップＳ４０６に進み、画像処理装置２１０の機能情報と一致する機能情報が１つでない場合（複数の場合）は、ステップＳ４０７に進む。
【０１０１】
ステップＳ４０６では、制御装置６０は、画像処理装置２１０の機能情報と一致する機能情報を含むデバイス情報を有するクライアントの画像処理装置を配信値の配信元に決定し、ステップＳ４１２に進む。
【０１０２】
ステップＳ４０７では、制御装置６０は、取得したデバイス情報のオプション３０３（図２参照）を確認する。具体的には、制御装置６０は、画像処理装置２０２，２０３，２０４のそれぞれのオプションのうち、画像処理装置２１０の機能情報と一致するオプションが１つか否かを判断する。
【０１０３】
そして、制御装置６０は、画像処理装置２１０のオプションと一致するオプションが１つの場合は、ステップＳ４０８に進み、画像処理装置２１０のオプションと一致するオプションが１つでない場合（複数の場合）は、ステップＳ４０９に進む。
【０１０４】
ステップＳ４０８では、制御装置６０は、画像処理装置２１０のオプションと一致するオプションを含むデバイス情報を有するクライアントの画像処理装置を配信値の配信元に決定し、ステップＳ４１２に進む。
【０１０５】
ステップＳ４０９では、制御装置６０は、取得したデバイス情報のデバイスタイプ３０１（図２参照）を確認する。具体的には、制御装置６０は、画像処理装置２０２，２０３，２０４のそれぞれのデバイスタイプのうち、画像処理装置２１０のデバイスタイプと一致するデバイスタイプが１つか否かを判断する。
【０１０６】
そして、制御装置６０は、画像処理装置２１０のデバイスタイプと一致するデバイスタイプが１つの場合は、ステップＳ４１０に進み、画像処理装置２１０のデバイスタイプと一致するデバイスタイプが１つでない場合（複数の場合）は、ステップＳ４１１に進む。
【０１０７】
ステップＳ４１０では、制御装置６０は、画像処理装置２１０のデバイスタイプと一致するデバイスタイプを含むデバイス情報を有するクライアントの画像処理装置を配信値の配信元に決定し、ステップＳ４１２に進む。その他の構成及び作用効果は、上記第１の実施形態と同様である。
【０１０８】
（第４の実施形態）
次に、図１８〜図２１を参照して、本発明の第４の実施形態である画像処理システムについて説明する。
【０１０９】
図１８は、本発明の第４の実施形態である画像処理システムの構成例について説明するための図である。
【０１１０】
図１８に示すように、本実施形態では、サーバの画像処理装置１０１、新規クライアントの画像処理装置２１０、及びクライアントの画像処理装置２０２は、オプションとしてフィニッシャを持つＭＦＰである。また、クライアントの画像処理装置２０３は、オプションとしてフィニッシャを持たないＳＦＰであり、クライアントの画像処理装置２０４は、オプションとしてフィニッシャを持たないＭＦＰである。
【０１１１】
図１９は、オプションとしてフィニッシャを持つ画像処理装置（ＭＦＰ）の基本的な装置構成について説明するためのブロック図である。
【０１１２】
図１９に示すように、画像処理装置の排紙ユニット５７には、フィニッシャ９９が接続されている。リーダ部５１、プリンタ部５５、制御装置６０、操作部７０、及びＨＤＤ６５については、上記第１の実施形態（図３）と同様であるので、説明を省略する。
【０１１３】
図２０は、共通配信値及び固有配信値の一例を示す図である。図２０においては、共通配信値７１１の配信値７１２は、上記第１の実施形態（図６）と同様であるが、配信値７１３が相違する。配信値７１６には、フィニッシャオプションに必要な設定値（排紙トレイの設定、コピー仕様設定）が記載されている。固有配信値７１４は、上記第１の実施形態（図６）と同様である。
【０１１４】
更に、本実施形態では、備えるオプションを基に配信値の配信元のデバイスを決定するため、画像処理装置１０１は、まずデバイス情報のオプション３０３を参照して複数のクライアントの画像処理装置から配信元の画像処理装置を決定する。
【０１１５】
なお、クライアントとしての画像処理装置でフィニッシャを持つ複数の画像処理装置が存在した場合は、画像処理装置１０１は、残りのデバイス情報であるデバイスタイプ３０１や機能情報３０２（図２参照）を参照する。そして、画像処理装置１０１は、デバイス情報が画像処理装置２１０に最も近い画像処理装置を配信値の配信元として決定する。
【０１１６】
図２１は、サーバとしての画像処理装置１０１における配信値の配信処理について説明するためのフローチャート図である。図２１での各処理は、画像処理装置１０１のＲＯＭやＨＤＤ６５等に記憶された制御プログラムがＲＡＭにロードされて、制御装置６０のＣＰＵ等により実行される。
【０１１７】
図２１において、ステップＳ５０１〜ステップＳ５０４、及びステップＳ５１１〜ステップＳ５１９は、それぞれ上記第１の実施形態（図８）のステップＳ１０１〜ステップＳ１０４、及びステップＳ１１１〜ステップＳ１１９と同様であるので、説明を省略する。
【０１１８】
ステップＳ５０５では、制御装置６０は、取得したデバイス情報のオプション３０３（図２参照）を確認する。具体的には、制御装置６０は、画像処理装置２０２，２０３，２０４のそれぞれのオプションのうち、画像処理装置２１０の機能情報と一致するオプションが１つか否かを判断する。
【０１１９】
そして、制御装置６０は、画像処理装置２１０のオプションと一致するオプションが１つの場合は、ステップＳ５０６に進み、画像処理装置２１０のオプションと一致するオプションが１つでない場合（複数の場合）は、ステップＳ５０７に進む。
【０１２０】
ステップＳ５０６では、制御装置６０は、画像処理装置２１０のオプションと一致するオプションを含むデバイス情報を有するクライアントの画像処理装置を配信値の配信元に決定し、ステップＳ５１２に進む。
【０１２１】
ステップＳ５０７では、制御装置６０は、取得したデバイス情報の機能情報（Ｆｕｎｃ
ｔｉｏｎ）３０２（図２参照）を確認する。具体的には、制御装置６０は、画像処理装置２０２，２０３，２０４のそれぞれの機能情報のうち、画像処理装置２１０の機能情報と一致する機能情報が１つか否かを判断する。
【０１２２】
そして、制御装置６０は、画像処理装置２１０の機能情報と一致する機能情報が１つの場合は、ステップＳ５０８に進み、画像処理装置２１０の機能情報と一致する機能情報が１つでない場合（複数の場合）は、ステップＳ５０９に進む。
【０１２３】
ステップＳ５０８では、制御装置６０は、画像処理装置２１０の機能情報と一致する機能情報を含むデバイス情報を有するクライアントの画像処理装置を配信値の配信元に決定し、ステップＳ５１２に進む。
【０１２４】
ステップＳ５０９では、制御装置６０は、取得したデバイス情報のデバイスタイプ３０１（図２参照）を確認する。具体的には、制御装置６０は、画像処理装置２０２，２０３，２０４のそれぞれのデバイスタイプのうち、画像処理装置２１０のデバイスタイプと一致するデバイスタイプが１つか否かを判断する。
【０１２５】
そして、制御装置６０は、画像処理装置２１０のデバイスタイプと一致するデバイスタイプが１つの場合は、ステップＳ５１０に進み、画像処理装置２１０のデバイスタイプと一致するデバイスタイプが１つでない場合（複数の場合）は、ステップＳ５１１に進む。
【０１２６】
ステップＳ５１０では、制御装置６０は、画像処理装置２１０のデバイスタイプと一致するデバイスタイプを含むデバイス情報を有するクライアントの画像処理装置を配信値の配信元に決定し、ステップＳ５１２に進む。その他の構成及び作用効果は、上記第１の実施形態と同様である。
【０１２７】
（第５の実施形態）
次に、図２２〜図２４を参照して、本発明の第５の実施形態である画像処理システムについて説明する。
【０１２８】
図２２は、本発明の第５の実施形態である画像処理システムの構成例について説明するための図である。
【０１２９】
図２２に示すように、本実施形態では、サーバの画像処理装置１０１及び新規クライアントの画像処理装置２１０は、ＭＦＰであり、クライアントの画像処理装置２０２，２０３，２０４は、ＳＦＰである。
【０１３０】
ここで、新規クライアントの画像処理装置２１０において、プリント系の設定やＦａｘ受信の設定は、クライアントの画像処理装置２０２，２０３，２０４から配信値をコピーするのが適切であるが、それだけで足りない部分がでてくる。例えば、コピーやＢｏｘなどの配信値は、ＳＦＰであるクライアントの画像処理装置２０２，２０３，２０４には存在しない。従って、本実施形態では、新規クライアントの画像処理装置２１０は、クライアントの画像処理装置２０２，２０３，２０４のいずれかの画像処理装置の配信値、及びサーバの画像処理装置１０１の配信値を組み合わせて設定値とする。
【０１３１】
図２３は、共通配信値及び固有配信値の一例を示す図である。図２２においては、共通配信値７１１の配信値７１２は、上記第１の実施形態と同様であるが、配信値７１３の一部が相違する。配信値７１３のレポート出力設定７２１は、クライアントの画像処理装置２０２，２０３，２０４でも保持している値であるが、Ｂｏｘ設定７２２は、クライアントの画像処理装置２０２，２０３，２０４には存在しない。このため、Ｂｏｘ設定７２２は、サーバの画像処理装置１０１の配信値を使用する。また、固有配信値７１４についても、必要に応じてサーバの画像処理装置１０１の配信値を使用する。
【０１３２】
図２４は、サーバとしての画像処理装置１０１における配信値の配信処理について説明するためのフローチャート図である。図２４での各処理は、画像処理装置１０１のＲＯＭやＨＤＤ６５等に記憶された制御プログラムがＲＡＭにロードされて、制御装置６０のＣＰＵ等により実行される。
【０１３３】
図２４において、ステップＳ６０１〜ステップＳ６０４は、それぞれ上記第１の実施形態（図８）のステップＳ１０１〜ステップＳ１０４と同様であるので、説明を省略する。また、ステップＳ６０５〜ステップＳ６１７、及びステップＳ６１９についても、それぞれ上記第１の実施形態（図８）のステップＳ１０５〜ステップＳ１１７、及びステップＳ１１９と同様であるので、説明を省略する。
【０１３４】
ステップＳ６０４ａでは、制御装置６０は、ステップＳ６０４で取得した画像処理装置２０２，２０３，２０４のそれぞれのデバイス情報のデバイスタイプのうち、画像処理装置２１０のデバイスタイプと一致するものがあるか否かを判断する。
【０１３５】
これは、例えば、デバイスタイプで定義されるＭＦＰとＳＦＰでは、備える機能が大きく異なる。このため、クライアントの画像処理装置２０２，２０３，２０４のデバイスタイプに画像処理装置２１０と同じデバイスタイプが存在しなければ、サーバの画像処理装置１０１のデバイス情報も含めて配信値を構築する必要があるからである。
【０１３６】
従って、制御装置６０は、画像処理装置２０２，２０３，２０４のそれぞれのデバイス情報のデバイスタイプのうち、画像処理装置２１０のデバイスタイプと一致するものがあれば、ステップＳ６０５に進み、上記第１の実施形態と同様の処理を行う。
【０１３７】
一方、制御装置６０は、画像処理装置２０２，２０３，２０４のそれぞれのデバイス情報のデバイスタイプのうち、画像処理装置２１０のデバイスタイプと一致するものがなければ、ステップＳ６０４ｂに進む。
【０１３８】
ステップＳ６０４ｂでは、制御装置６０は、新規クライアントの画像処理装置２１０が持つ機能情報（Ｆｕｎｃｔｉｏｎ）の設定値を、複数の画像処理装置が持つ配信値で完全に構成可能かどうかを判断する。
【０１３９】
そして、制御装置６０は、完全に構成可能であれば、ステップＳ６０４ｃに進み、そうでなければ、ステップＳ６０４ｄに進む。
【０１４０】
ステップＳ６０４ｃでは、制御装置６０は、複数の画像処理装置を配信値の配信元として決定し、ステップＳ６１２に進む。
【０１４１】
一方、ステップＳ６０４ｄでは、制御装置６０は、新規クライアントの画像処理装置２１０が持つ機能情報（Ｆｕｎｃｔｉｏｎ）の設定値を部分的に構成可能な複数の画像処理装置を配信値の配信元として決定し、ステップＳ６１２に進む。
【０１４２】
また、ステップＳ６１８では、制御装置６０は、共通配信値をクライアントの画像処理装置から取得する際に、自装置１０１の共通配信値も必要に応じて取得し、ステップＳ６１９に進む。その他の構成及び作用効果は、上記第１の実施形態と同様である。
【０１４３】
なお、本発明は、上記各実施形態に例示したものに限定されるものではなく、本発明の要旨を逸脱しない範囲において適宜変更可能である。上記実施例においては、画像処理装置の例としてＭＦＰやＳＦＰについて説明したが、画像処理装置は、スキャナ装置やファクシミリ装置、パーソナルコンピュータ、あるいは携帯電話等の携帯情報機器であってもよい。
【０１４４】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１４５】
この場合、記憶媒体から読み出されたプログラムコード自体が前述した実施の形態の機能を実現することになり、そのプログラムコード及び該プログラムコードを記憶した記憶媒体は本発明を構成することになる。
【０１４６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１４８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１４９】
５１  リーダ部
５２  原稿給紙ユニット
５３  スキャナユニット
５５  プリンタ部
５６  マーキングユニット
５７  排紙ユニット
５８  給紙ユニット
６０  制御装置
６５  ＨＤＤ
７０  操作部
９９  フィニッシャ
１０１  画像処理装置
２０２，２０３，２０４  画像処理装置
２１０  画像処理装置
４００  ＬＡＮ
【図１】
2010161578.tif 000003
【図２】
2010161578.tif 000004
【図３】
2010161578.tif 000005
【図４】
2010161578.tif 000006
【図５】
2010161578.tif 000007
【図６】
2010161578.tif 000008
【図７】
2010161578.tif 000009
【図８】
2010161578.tif 000010
【図９】
2010161578.tif 000011
【図１０】
2010161578.tif 000012
【図１１】
2010161578.tif 000013
【図１２】
2010161578.tif 000014
【図１３】
2010161578.tif 000015
【図１４】
2010161578.tif 000016
【図１５】
2010161578.tif 000017
【図１６】
2010161578.tif 000018
【図１７】
2010161578.tif 000019
【図１８】
2010161578.tif 000020
【図１９】
2010161578.tif 000021
【図２０】
2010161578.tif 000022
【図２１】
2010161578.tif 000023
【図２２】
2010161578.tif 000024
【図２３】
2010161578.tif 000025
【図２４】
2010161578.tif 000026